(57)【要約】【課題】本発明の目的は、ブラケット及びワイヤを用いた歯列矯正治療において、ワイヤによるトルクを制御することができる歯列矯正器具及びその製造方法を提供すること。【解決手段】所望の状態に移動したと想定した歯列を覆い、かつ、所望の状態に移動したと想定した歯列に取り付けられているブラケット３及びワイヤ４を覆うように成形されたマウスピース型の歯列矯正器具１であって、所望の状態に移動する前の歯列にブラケット及びワイヤが取り付けられた状態で歯列に装着されることを特徴とする。【選択図】図６
2011045441.tif 000002
【特許請求の範囲】
【請求項１】
所望の状態に移動したと想定した歯列を覆い、かつ、前記所望の状態に移動したと想定した歯列に取り付けられているブラケット及びワイヤを覆うように成形されたマウスピース型の歯列矯正器具であって、前記所望の状態に移動する前の歯列に前記ブラケット及び前記ワイヤが取り付けられた状態で歯列に装着されることを特徴とする、歯列矯正器具。
【請求項２】
前記ブラケット及び前記ワイヤを覆うための凸部は、舌側に設けられていることを特徴とする、請求項１に記載の歯列矯正器具。
【請求項３】
前記凸部は、前記ブラケット及び前記ワイヤが中切歯から犬歯までの少なくとも一部にかけて前記歯列に取り付けられた状態に対応していることを特徴とする、請求項２に記載の歯列矯正器具。
【請求項４】
前記所望の状態は、最終的な歯列の状態であることを特徴とする、請求項１〜３のいずれかに記載の歯列矯正器具。
【請求項５】
所望の状態に移動させた歯形模型を作製する第１の工程と、
前記歯形模型にブラケット及びワイヤを取り付ける第２の工程と、
前記ブラケット及び前記ワイヤが取り付けられた前記歯形模型を樹脂材料で覆う第３の工程と、
前記歯形模型から硬化した前記樹脂材料を取り外して歯列矯正器具を作製する第４の工程とを備える、歯列矯正器具の製造方法。
【請求項６】
前記第２の工程では、前記ブラケット及び前記ワイヤを舌側に取り付けることを特徴とする、請求項５に記載の歯列矯正器具の製造方法。
【請求項７】
前記第２の工程では、前記ブラケット及び前記ワイヤを中切歯から犬歯までの少なくとも一部にかけて前記歯列に取り付けることを特徴とする、請求項６に記載の歯列矯正器具の製造方法。
【請求項８】
前記所望の状態は、最終的な歯列の状態であることを特徴とする、請求項５〜７のいずれかに記載の歯列矯正器具の製造方法。
【発明の詳細な説明】
【技術分野】
【０００１】
本発明は、歯列の矯正に用いられるマウスピース型の歯列矯正器具及びその製造方法に関する。
【背景技術】
【０００２】
マウスピース型の歯列矯正器具として、インビザライン（登録商標：アラインテクノロジー社）及びクリアアライナーがよく利用されている。
【０００３】
インビザライン（登録商標）と呼ばれる矯正システムでは、特許文献１に示されるように、最初の歯列に対応するマウスピース型の歯列矯正器具から、中間の歯列に対応するマウスピース型の歯列矯正器具、最後の歯列に対応するマウスピース型の歯列矯正器具に至るまで、歯列の移動をコンピュータ上で想定して、全ての歯列矯正器具を予め準備しておき、矯正治療の進捗に応じて、適切な段階の歯列矯正器具を患者の歯に装着して、歯列を矯正する。
【０００４】
クリアアライナーは、透明で薄い歯形形状のマウスピース型の歯列矯正器具であり、材料の弾性を利用して、歯に必要な矯正力を与え、歯を移動させる器具である。インビザライン（登録商標）では、治療に使用すると予測された一連の歯列矯正器具を治療開始前に全部作製されて供給される。しかし、クリアアライナーを利用する場合、通常３〜４週間に一度の間隔で印象採取を行い、その都度、次に移動させたい状態まで歯列を配列したセットアップ模型を作製して、当該セットアップ模型を熱可塑性樹脂のラミネート板でラミネートして、次の治療で用いるクリアアライナーを製造して、治療を進める。
【０００５】
インビザライン（登録商標）やクリアアライナーを用いた場合、矯正用のワイヤを用いて歯列矯正する場合に比べて、審美性に優れている。
【０００６】
また、歯の舌側にブラケット及びワイヤを取り付けて、歯列を矯正するシステムも存在する。たとえば、非特許文献１に示す「２Ｄ  Ｌｉｎｇｕａｌ  Ｂｒａｃｋｅｔ」は、ブラケットとワイヤとを結紮することなく、歯の舌側から矯正する。図９は、「２Ｄ  Ｌｉｎｇｕａｌ  Ｂｒａｃｋｅｔ」で使用されるブラケット９０の一例を示す斜視図である。図９において、ブラケット９０に、想像線で示すワイヤ９２が通されて、クリップ９１がペンチ等によって挟まれる。ワイヤ９２は、たとえば、ニッケルチタンなどの形状記憶合金である。なお、ワイヤ９２として、形状記憶合金が用いられない場合もある。
【先行技術文献】
【特許文献】
【０００７】
【特許文献１】特許第３６２００４８号公報
【特許文献２】特開２００８−１３１９７９号公報
【非特許文献】
【０００８】
【非特許文献１】ＦＯＲＥＳＴＡＤＥＮＴ社、“２Ｄ  Ｌｉｎｇｕａｌ  Ｂｒａｃｋｅｔｓ”、［ｏｎｌｉｎｅ］、［平成２１年７月２８日検索］、インターネット＜ＵＲＬ：ｈｔｔｐ：／／ｗｗｗ．ｆｏｒｅｓｔａｄｅｎｔ．ｃｏｍ／ｆｏｒｅｓｔａｄｅｎｔ−ｅｎ／Ｐｒｏｄｕｋｔｅ／ｐｒｏｄｕｃｔｓ／２Ｄ＿Ｌｉｎｇｕａｌ＿Ｂｒａｃｋｅｔｓ．ｐｈｐ？ｎａｖａｎｃｈｏｒ＝１７１００２６＞
【発明の概要】
【発明が解決しようとする課題】
【０００９】
しかし、インビザライン（登録商標）及びクリアアライナーを用いた矯正治療では、歯列矯正器具自体が患者の歯から着脱可能であるがために、下記のような問題を有する。まず、歯列矯正器具が取り外し可能であるといっても、一日あたり２０〜２２時間は装着していなければならない。したがって、矯正治療がうまくいくか否かは、患者の協力にかかっている。また、着脱可能であるがために、歯列矯正器具の紛失や破損も問題となる。また、インビザライン（登録商標）及びクリアアライナーを用いた矯正治療の適応症は、限られている。たとえば、インビザライン（登録商標）及びクリアアライナーを用いた矯正治療では、歯の水平移動や回転移動、先端部分の制御、歯の付け根部分の移動、咬合の制御が難しい。
【００１０】
しかし、ブラケットを舌側に取り付けて行う歯列矯正にも下記のような問題が存在する。図１０は、図９に示したブラケット９０を、矯正治療前の歯列に取り付けたときの様子を示す図である。図１０では、中切歯から犬歯にかけて、舌側にブラケット９０及びワイヤ９２が取り付けられている様子が示されている。図１１は、前歯が整列したときの様子を示す図である。ワイヤ９２の戻り力によって、図１１に示すように、前歯がアーチ状に整列する。ただし、犬歯が横に広がるように矯正されるので、犬歯と第１小臼歯との間に空隙が生じる。図１２は、第１小臼歯にブラケット９０を取り付けて、ワイヤ９２を取り付けたときの様子を示す図である。図１１に示すように、横に広がってしまった前歯を、次の段階では、第１小臼歯側に引き寄せるために、図１２に示すように、第１小臼歯にもブラケット９０を取り付ける。図１３は、矯正治療が完了したときの様子を示す図である。図１３に示すように、前歯が第１小臼歯側に引き寄せられて、歯列の矯正が完了する。
【００１１】
図１１及び図１２に示したように、前歯の歯並びを矯正する場合、最終段階で、第１小臼歯側にもブラケット９０を取り付けなければならず、治療期間が長くなる。もちろん、初期段階から、中切歯から第１小臼歯までブラケット９０及びワイヤ９２を取り付けて矯正治療を行うことも可能であるが、歯の移動具合を予測しがたい点があり、実際の矯正治療では、上述のように、前歯から移動させて、第１小臼歯側に引き寄せるという手法が用いられている。このように、ブラケット及びワイヤを舌側に取り付けて矯正治療を行う場合でも、治療期間が長くなるという問題が存在する。
【００１２】
ブラケット及びワイヤを用いる場合、ワイヤによって生じるトルクによって、歯列が所望通りに矯正されない場合が生じる。図１４は、ワイヤによって生じるトルクの問題を説明するための断面図である。図１４において、矯正前の歯を９３で示し、矯正後の歯を９３ａで示す。歯９３に取り付けられているブラケット９０及びワイヤ９２において、ワイヤ９２によって生じるトルクを矢印Ａで示す。矢印Ａの向きにトルクが生じるので、矯正後の歯９３ａは、斜め上方に回転しつつ矢印Ｂの方向に引っ張られることとなる。よって、矯正治療において、トルクを如何にして制御するかは、歯科医師の技術に頼るところがある。図１１のように、犬歯と第１臼歯との間に空隙が生じた歯列になるのも、ワイヤによるトルクが一つの要因である。
【００１３】
それゆえ、本発明の目的は、ブラケット及びワイヤを用いた歯列矯正治療において、ワイヤによるトルクを制御することができる歯列矯正器具及びその製造方法を提供することである。
【００１４】
なお、特許文献２では、歯列に振動力を加えるために、ブラケット及びワイヤが取り付けられた歯列を覆うように歯列矯正マウスピースが製造されている（特許文献２の図７のＳ２及びＳ３参照）。しかし、特許文献２の歯列矯正マウスピースは、ワイヤによるトルクを制御するためのものではなく、加えて、所望の状態に移動した歯列にブラケット及びワイヤが取り付けられた状態で作製された歯列矯正器具ではない。
【課題を解決するための手段】
【００１５】
上記課題を解決するために、本発明は、以下のような特徴を有する。本発明は、所望の状態に移動したと想定した歯列を覆い、かつ、所望の状態に移動したと想定した歯列に取り付けられているブラケット及びワイヤを覆うように成形されたマウスピース型の歯列矯正器具であって、所望の状態に移動する前の歯列にブラケット及びワイヤが取り付けられた状態で歯列に装着されることを特徴とする。好ましくは、ブラケット及びワイヤを覆うための凸部は、舌側に設けられていると良い。好ましくは、凸部は、ブラケット及びワイヤが中切歯から犬歯までの少なくとも一部にかけて歯列に取り付けられた状態に対応していると良い。たとえば、所望の状態は、最終的な歯列の状態であると良い。
【００１６】
また、本発明は、歯列矯正器具の製造方法であって、所望の状態に移動させた歯形模型を作製する第１の工程と、歯形模型にブラケット及びワイヤを取り付ける第２の工程と、ブラケット及びワイヤが取り付けられた歯形模型を樹脂材料で覆う第３の工程と、歯形模型から硬化した樹脂材料を取り外して歯列矯正器具を作製する第４の工程とを備える。好ましくは、第２の工程では、ブラケット及びワイヤを舌側に取り付けると良い。好ましくは、第２の工程では、ブラケット及びワイヤを中切歯から犬歯までの少なくとも一部にかけて歯列に取り付けると良い。たとえば、所望の状態は、最終的な歯列の状態であると良い。
【発明の効果】
【００１７】
本発明によれば、ワイヤによって生じるトルクによる力は、歯列矯正器具によって抑えられることとなる。よって、ブラケット及びワイヤを用いた歯列矯正治療において、ワイヤによるトルクを制御することができる歯列矯正器具が提供されることとなる。トルクが制御されることにより、たとえば、前歯をワイヤで移動させたとしても、犬歯と第１臼歯との間に空隙が生じにくくなる。また、基本的な矯正力はワイヤによって実現されるので、歯の水平移動や回転移動、先端部分の制御、歯の付け根部分の移動、咬合の制御を行うことができる。よって、従来のインビザライン（登録商標）やクリアアライナーの場合と比べ、歯列矯正器具を使用した場合の治療可能な適応症は、制限を受けにくいと言える。また、患者の協力が得られなかったとしても、矯正の効果を得ることができる。さらに、トルクを制御することができるので、トルクによって生じた歯の移動を所望の状態に戻すという治療が必要なくなるので、治療期間の短縮が図られる。また、歯列矯正器具によって、ブラケットが舌に当たるのを防止することができるので、ブラケットを用いた矯正治療の不快感が解消される。また、場合によっては、歯列矯正器具だけで移動することができる歯が存在する場合もあるので、そのような歯は、歯列矯正器具による矯正力だけで矯正し、そのような歯にはブラケット及びワイヤを取り付けなくてもよくなる。
【００１８】
凸部を舌側に設けることによって、審美性を維持しつつ効果の高い矯正治療が実現される。ブラケット及びワイヤが中切歯から犬歯までの少なくとも一部にかけて歯列に取り付けられた状態に、凸部を対応させることによって、犬歯の広がりを効果的に防止することができる。
【００１９】
所望の状態を最終的な歯列の状態として歯列矯正器具を製造すれば、所望の最終的な状態に歯を移動させることができる。また、従来のインビザライン（登録商標）やクリアアライナーのように、複数の歯列矯正器具を製造する必要がないので、矯正治療に要する費用を削減することができる。また、通院回数を減らすことが期待でき、患者の負担が軽減される。また、矯正治療が完了した後、使用していた歯列矯正器具は、歯列が元に戻るのを防止するための保定器具（ポジショナー）として利用することができる。
【００２０】
本発明のこれらおよび他の目的、特徴、局面、効果は、添付図面と照合して、以下の詳細な説明から一層明らかになるであろう。
【図面の簡単な説明】
【００２１】
【図１】図１は、所望の歯列に配列されたセットアップ模型２を示す平面図である。
【図２】図２は、セットアップ模型２に複数のブラケット３を取り付けたときの様子を示す図である。
【図３】図３は、複数のブラケット３に対して、アーチ状のワイヤ４を取り付けたときの様子を示す図である。
【図４】図４は、歯列矯正器具１が作製される様子を示す図である。
【図５】図５は、セットアップ模型２上に作製された歯列矯正器具１を示す正面図である。
【図６】図６は、歯列矯正器具１の斜視図である。
【図７】図７は、ワイヤ４によるトルクによって生じる力を説明するための図である。
【図８】図８は、ブラケット３及びワイヤ４が歯に取り付けられた状態で、歯列矯正器具１が装着されたときの様子を示す断面図である。
【図９】図９は、「２Ｄ  Ｌｉｎｇｕａｌ  Ｂｒａｃｋｅｔ」で使用されるブラケット９０の一例を示す斜視図である。
【図１０】図１０は、図９に示したブラケット９０を、矯正治療前の歯列に取り付けたときの様子を示す図である。
【図１１】図１１は、前歯が整列したときの様子を示す図である。ワイヤ９２の戻り力によって、図１１に示すように、前歯がアーチ状に整列する。
【図１２】図１２は、第１小臼歯にブラケット９０を取り付けて、ワイヤ９２を取り付けたときの様子を示す図である。
【図１３】図１３は、矯正治療が完了したときの様子を示す図である。
【図１４】図１４は、ワイヤによって生じるトルクの問題を説明するための断面図である。
【発明を実施するための形態】
【００２２】
図１〜図６を用いて、本発明の一実施形態に係る歯列矯正器具１の製造方法を説明する。図１は、所望の歯列に配列されたセットアップ模型２を示す平面図である。まず、患者から歯形陰型が印象採取され、当該歯形陰型に基づいて歯形模型が作製され、当該歯形模型の一部又は全部を分割して所望の状態に移動させて、所望の状態に移動した分割歯形模型をワックス等で固定する。このようにして、所望の歯列に配列されたセットアップ模型２が完成する。所望の状態としては、好ましくは、矯正治療が完了した最終的な歯列の状態であると良い。なお、ここで示したセットアップ模型の製造方法は一例に過ぎず、本発明を限定するものではない。たとえば、歯形のデジタルデータを加工してセットアップ模型をデータ上で作製し、セットアップ模型のデータを光造形等の再現装置を利用して再現し、当該再現されたセットアップ模型を本発明に用いるようにしても良い。
【００２３】
図２は、セットアップ模型２に複数のブラケット３を取り付けたときの様子を示す図である。ブラケット３としては、周知のあらゆるブラケットを用いることができる。すなわち、本発明において、ブラケット３の形状や材質、構造等は特に限定されない。図２において、ブラケット３の形状は、図９に示した形状のブラケット９０と同様であるとしている。なお、ブラケット３をセットアップ模型２の適切な位置に取り付ける方法として、周知のあらゆる方法を用いることができる。図２では、中切歯から犬歯にかけてブラケットを取り付けることとしたが、ブラケットが取り付けられる歯は、特に限定されない。患者の歯の状態に基づいて、ブラケットが取り付けられる歯は、歯科医師によって適宜決定される。なお、審美性を考慮すれば、ブラケットは、舌側に取り付けられていると良いが、唇側にブラケットが取り付けられても良い。
【００２４】
図３は、複数のブラケット３に対して、アーチ状のワイヤ４を取り付けたときの様子を示す図である。ワイヤ４は、たとえば、金属製ワイヤや形状記憶合金ワイヤある。図３に示すブラケット３は、図９に示すタイプのブラケット９０であるので、ブラケット３のクリップ部分がペンチ等で挟まれて、ワイヤ４がブラケット３に固定される。ワイヤをブラケットに針金等で結紮するタイプのブラケットを用いる場合、ワイヤがブラケットに結紮された状態で、セットアップ模型２にブラケット及びワイヤが取り付けられる。
【００２５】
図４は、歯列矯正器具１が作製される様子を示す図である。熱可塑性樹脂からなるラミネート板（たとえば、ドイツのＳＣＨＥＵ−ＤＥＮＴＡＬ社のデュラン）を加熱し、柔らかくなったラミネート板をセットアップ模型２に接触させ、チャンバ内を吸引（又は加圧）して、ラミネート板をセットアップ模型２に密着させる。ラミネート板の材質は、たとえば、ポリエチレンテレフタレートである。熱可塑性樹脂が硬化すると、図４に示すように、セットアップ模型２上に、歯列矯正器具１が成型される。なお、歯列矯正器具１の内、余計な樹脂部分は切断する。チャンバ内で、加熱し、吸引又は加圧するための加熱圧接器としては、たとえば、ドイツのＳＣＨＥＵ−ＤＥＮＴＡＬ社のバイオスターを用いることができる。なお、セットアップ模型２を樹脂材料で覆う方法として、周知のあらゆる方法を用いることができ、上記に示した例に限られない。
【００２６】
図５は、セットアップ模型２上に作製された歯列矯正器具１を示す正面図である。好ましくは、図５に示すように、歯列矯正器具１は、歯部分だけでなく、歯茎部分にまで成型されていると良い。ただし、症例によっては、歯部分にだけ歯列矯正器具１が形成されていても良い。
【００２７】
図６は、歯列矯正器具１の斜視図である。図６に示すように、歯列矯正器具１は、所望の状態に移動したと想定したときの歯型を覆う陰型となる。さらに、歯列矯正器具１は、所望の状態に移動したと想定した歯列に取り付けられているブラケット３及びワイヤ４を覆う凸部３ａ及び４ａを舌側に有することとなる。
【００２８】
なお、歯列矯正器具１の取り外し時にブラケット３及び／又はワイヤ４が邪魔になるのを防止するために、ブラケット３及び／又はワイヤ４の顎側や周辺にワックス等を盛っておいて、歯列矯正器具１の凸部３ａ及び／又は４ａを少し大きめに成形しても良い。
【００２９】
次に、歯列矯正器具１の使用方法について説明する。症例によって歯列矯正器具１の使用方法は種々異なるが、ここでは、代表的な使用方法を説明する。
【００３０】
（使用方法その１）
矯正治療の初期段階から最終段階に至るまで、歯列にブラケット及びワイヤと取り付けると共に、所望の状態に歯列が移動する前の段階で歯列矯正器具１が装着される。この場合、矯正治療が完了する前の状態では、歯列と歯列矯正器具１との間に空隙が生じ、歯列矯正器具１は、歯列にぴったりと密着して装着されるわけではない。しかし、基本的には、ワイヤによる矯正力が主たる矯正力として働き、矯正治療が進む。
【００３１】
好ましくは、できる限り長時間、歯列矯正器具１を装着しておいた方が良いが、ワイヤによる矯正力によって矯正治療が進んでいくので、従来のクリアアライナーと異なり、患者の協力が無くても、歯の移動は進んでいく。
【００３２】
患者が歯科医師の指導にしたがって、歯列矯正器具１を適切に取り付けていた場合、ワイヤによるトルクによって、歯列が所望しない方向に移動するのを防止することができる。図７は、ワイヤ４によるトルクによって生じる力を説明するための図である。図７に示す歯は、上顎の歯である。ワイヤ４による戻り力によって、図７の矢印Ｃに示すように、上方向にトルクが生じる。
【００３３】
図８は、ブラケット３及びワイヤ４が歯に取り付けられた状態で、歯列矯正器具１が装着されたときの様子を示す断面図である。図８において、矯正前の歯を１０で示し、矯正後の歯を１０ａで示す。ワイヤ４によって生じるトルクは、図７と同様、図８においても矢印Ｃで示す。図８上、トルクが上方に働くが、矯正後の所望の状態に成形された歯列矯正器具１によって歯が覆われているので、ワイヤ４のトルクによって生じる力は、歯列矯正器具１による反作用力によって、ほとんど打ち消される。そのため、ワイヤ４のトルクによって生じる力が歯列の矯正に作用するのを抑えることができる。よって、歯列が所望の状態に配列するように矯正される。ゆえに、図８に示すように、歯１０ａは、所望の状態に成形された歯列矯正器具１に適切に収まるように、移動することとなる。このように、トルクがコントロール可能な矯正治療が実現される。
【００３４】
たとえば、図１０に示した症例の場合、歯列にブラケット３及びワイヤ４を取り付けると共に、歯列矯正器具１を装着して、治療を進めていく。すると、図１１のように、犬歯が広がることなく、第１小臼歯へのブラケット接着は無い状態で、図１３に示すような歯列の並びに治療されることとなる。すなわち、歯列矯正器具１をブラケット３及びワイヤ４と一緒に用いた場合は、図１１及び図１２の段階を経ることなく、矯正治療が実現されることとなる。
【００３５】
（使用方法その２）
使用方法その１のように、初期段階から、歯列矯正器具１が装着可能であれば、その１に示す矯正治療も実現できるが、歯並びが悪い場合、初期段階では、歯列矯正器具１を挿入できない可能性がある。そこで、初期段階では、ブラケット３とワイヤ４による治療を行い、歯列矯正器具１が装着可能な程度に歯列が移動した段階で、歯列矯正器具１を装着して、使用しても良い。
【００３６】
（使用方法その３）
歯列矯正器具１を夜だけ使用するという方法もある。睡眠中の約７〜８時間の間、歯列矯正器具１が装着されることとなる。このような装着によっても、犬歯の望ましくない広がりが防止することが可能である。
【００３７】
（使用方法その４）
初期段階では、従来のクリアライナーを利用して、ある程度移動が進んだ後に、ブラケット３及びワイヤ４を取り付け、歯列矯正器具１を一緒に装着して、最終段階での治療で、ワイヤ４によるトルクが働き、歯が望ましくない方向に移動するのを防止することができる。
【００３８】
なお、矯正治療が完了した後、使用していた歯列矯正器具１は、歯列が元に戻るのを防止するための保定器具（ポジショナー）として利用することができる。
【００３９】
このように、本実施形態によれば、ブラケット３及びワイヤ４を用いた歯列矯正治療において、ワイヤ４によるトルクを制御することができる歯列矯正器具１が提供されることとなる。トルクが制御されることにより、たとえば、前歯をワイヤ４で移動させたとしても、犬歯と第１臼歯との間に空隙が生じにくくなる。
【００４０】
また、基本の矯正力はワイヤ４によって実現されるので、歯の水平移動や回転移動、先端部分の制御、歯の付け根部分の移動、咬合の制御を行うことができる。よって、インビザライン（登録商標）やクリアアライナーの場合と比べ、歯列矯正器具１を使用した場合の治療可能な適応症は、制限を受けにくいと言える。
【００４１】
また、患者の協力が得られなかったとしても、矯正の効果を得ることができる。
【００４２】
さらに、トルクを制御することができるので、トルクによって生じた歯の移動を所望の状態に戻すという治療が必要なくなるので、治療期間の短縮が図られる。
【００４３】
また、歯列矯正器具１によって、ブラケットが舌に当たるのを防止することができるので、ブラケットを用いた矯正治療の不快感が解消される。
【００４４】
また、場合によっては、歯列矯正器具１だけで移動することができる歯が存在する場合もあるので、そのような歯は、歯列矯正器具１による矯正力だけで矯正し、そのような歯にはブラケット及びワイヤを取り付けなくてもよくなる。
【００４５】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００４６】
本発明は、歯列矯正器具及びその製造方法に関し、産業上利用可能である。
【符号の説明】
【００４７】
１  歯列矯正器具
２  セットアップ模型
３  ブラケット
３ａ，４ａ  凸部
４  ワイヤ
１０  矯正前の歯
１０ａ  矯正後の歯
【図１】
2011045441.tif 000003
【図２】
2011045441.tif 000004
【図３】
2011045441.tif 000005
【図４】
2011045441.tif 000006
【図５】
2011045441.tif 000007
【図６】
2011045441.tif 000008
【図７】
2011045441.tif 000009
【図８】
2011045441.tif 000010
【図９】
2011045441.tif 000011
【図１０】
2011045441.tif 000012
【図１１】
2011045441.tif 000013
【図１２】
2011045441.tif 000014
【図１３】
2011045441.tif 000015
【図１４】
2011045441.tif 000016